(57)【要約】【課題】  ネットワークに接続された装置で画像データを共有するシステムにおいて、ユーザの所望する画像データを容易に取得可能なシステムを提供する。【解決手段】  キーワードや縮小画像で検索を行う。【選択図】  図１
2007036837.tif 000002
【特許請求の範囲】
【請求項１】
画像情報システムにネットワークを介して接続された画像生成装置であって、画像生成時に得られた画像データを保存する画像データ保存手段と、前記画像データに関する画像情報を保存する画像情報保存手段と、ネットワークに接続された情報処理装置より画像検索情報を受信する画像検索情報受信手段と、前記画像検索情報より前記画像生成装置内の画像データを検索する画像検索手段と、前記画像検索手段により検索された画像データの前記画像情報保存手段により保存された画像情報を前記画像生成装置に転送する画像情報転送手段と、前記情報処理装置より画像生成装置内にある画像データの転送を要求された場合、該画像データを転送する画像転送手段を備えることを特徴とする画像生成装置。
【請求項２】
前記画像情報は、キーワードを含むことを特徴とする請求項1に記載の画像生成装置。
【請求項３】
前記画像情報は、縮小画像データを含むことを特徴とする請求項1に記載の画像生成装置。
【請求項４】
前記画像情報は、画像データ名を含むことを特徴とする請求項1に記載の画像生成装置。
【請求項５】
前記画像情報は、XMLであることを特徴とする請求項1に記載の画像生成装置。
【請求項６】
前記画像検索情報は、キーワードを含むことを特徴とする請求項2に記載の画像生成装置。
【請求項７】
画像情報システムにネットワークを介して接続された情報処理装置であって、前記画像検索情報を同じネットワークに接続された画像生成装置に転送する画像検索情報転送手段と、前記画像生成装置の前記画像情報転送手段により転送された前記画像情報を受信する画像情報受信手段を備えることを特徴とする情報処理装置。
【発明の詳細な説明】
【技術分野】
【０００１】
本発明は、画像情報システムにネットワークを介して接続された画像生成装置、情報処理装置および画像情報システムに関するものである。
【背景技術】
【０００２】
会社等の組織内に複数台の複写機が設置されている場合、任意の複写機で複写された原稿データと共有して、相互に利用できるようにしたネットワーク型デジタル複写システムが提案されている。
【０００３】
また、画像形成装置で形成された画像データまたは複写装置で複写された画像データを記憶し、ネットワークで接続された他の端末装置で該画像データを取得できるシステムが提案されている。
【０００４】
又、別の従来例としては、特許文献１をあげることが出来る。
【特許文献１】特開２００２−４４３６４号公報
【発明の開示】
【発明が解決しようとする課題】
【０００５】
しかしながら、従来のシステムでは、ユーザの所望する画像データを検索することが困難であった。本発明では、ネットワークに接続された装置で画像データを共有するシステムにおいて、ユーザの所望する画像データを容易に取得可能なシステムを提供することを目的とする。
【課題を解決するための手段】
【０００６】
上記の目的を達成するために、本発明は、画像情報システムにネットワークを介して接続された画像生成装置であって、画像生成時に得られた画像データを保存する画像データ保存手段と、前記画像データに関する画像情報を保存する画像情報保存手段と、ネットワークに接続された情報処理装置より画像検索情報を受信する画像検索情報受信手段と、前記画像検索情報より前記画像生成装置内の画像データを検索する画像検索手段と、前記画像検索手段により検索された画像データの前記画像情報保存手段により保存された画像情報を前記画像生成装置に転送する画像情報転送手段と、前記情報処理装置より画像処理装置内にある画像データの転送を要求された場合、該画像データを転送する画像転送手段を備えることを特徴とする画像生成装置である。
【０００７】
また、前記画像情報は、キーワードを含むことを特徴とする画像生成装置である。
【０００８】
また、前記画像情報は、縮小画像データを含むことを特徴とする画像生成装置である。
【０００９】
また、前記画像情報は、画像データ名を含むことを特徴とする画像生成装置である。
【００１０】
また、前記画像情報は、XMLであることを特徴とする画像生成装置である。
【００１１】
また、前記画像検索情報は、キーワードを含むことを特徴とする画像生成装置である。
【００１２】
また、画像情報システムにネットワークを介して接続された情報処理装置であって、前記画像検索情報を同じネットワークに接続された画像生成装置に転送する画像検索情報転送手段と、前記画像生成装置の前記画像情報転送手段により転送された前記画像情報を受信する画像情報受信手段を備えることを特徴とする情報処理装置である。
【００１３】
本発明によれば、キーワードや縮小画像で検索を行うことにより、ネットワークに接続された情報処理装置から同じネットワークに接続された画像生成装置内の画像データを容易に検索することが可能になる。また、集中管理システムではないため、管理のための専用サーバなしにシステムを構築することが可能である。
【発明の効果】
【００１４】
以上説明したように、本発明の実施例の形態によれば、キーワードや縮小画像で検索を行うことにより、ネットワークに接続された情報処理装置から同じネットワークに接続された画像形成装置内の画像データを容易に検索することが可能になる。また、集中管理システムではないため、管理のための専用サーバなしにシステムを構築することが可能である。
【発明を実施するための最良の形態】
【００１５】
次に、本発明の詳細を実施例の記述に従って説明する。
【実施例１】
【００１６】
図2は、本発明における画像生成装置および情報処理装置の一例であるデジタル複写機の断面図である。
【００１７】
図中、デジタル複写機本体100の上部には、自動原稿送り装置（ＡＤＦ）280が設けられている。
【００１８】
プラテンガラス201は原稿を載置する台であり、スキャナ202は、原稿照明ランプ203や走査ミラー204等で構成される。不図示のモータによりスキャナ202は所定方向に往復走査される。原稿の反射光は走査ミラー204〜206を介してレンズ207を透過してイメージセンサ部208内のＣＣＤセンサに結像する。露光制御部209は、レーザやポリゴンスキャナ等で構成され、イメージセンサ部208で電気信号に変換され所定の画像処理が施された画像信号に基づいて変調されたレーザ光219を感光体ドラム211に照射する。感光体ドラム211の回りには、1次帯電器212、現像器213、転写帯電器216、前露光ランプ214、クリーニング装置215が装備されている。
【００１９】
画像処理部210において、感光体ドラム211は不図示のモータにより図に示す矢印の方向に回転しており、1次帯電器212により所望の電位に帯電された後、露光制御部209からのレーザ光219が照射され、静電潜像が形成される。感光体ドラム211上に形成された静電潜像は、現像器213により現像されて、トナー像として可視化される。
【００２０】
一方、右カセットデッキ221、左カセットデッキ222、上段カセット223あるいは下段カセット224からピックアップローラ225，226，227，228により給紙された転写紙は、給紙ローラ229，230，231，232により本体に送られ、レジストローラ233により転写ベルトに給送され、可視化されたトナー像が転写帯電器216により転写紙に転写される。転写後の感光体ドラムは、クリーナ装置215により残留トナーが清掃され、前露光ランプ214により残留電荷が消去される。転写後の転写紙は、分離帯電器217によって感光体ドラムから分離され、転写ベルト234によって定着器235に送られる。定着器では加圧、加熱により定着され、排出ローラ236により本体100の外に排出される。
【００２１】
本体100には、例えば4000枚の転写紙を収納し得るデッキ250が装備されている。デッキ250のリフタ251は、ピックアップローラ252に転写紙が常に当接するように転写紙の量に応じて上昇し、転写紙は給紙ローラ253によって本体に送られる。また、100枚の転写紙を収容し得るマルチ手差し254が装備されている。
【００２２】
さらに、排紙フラッパ237は、搬送パス238側と排出パス243側の経路を切り替える。下搬送パス240は、排紙ローラ236から送り出された転写紙を反転パス239を介し、転写紙を裏返して再給紙パス241に導く。左カセットデッキ222から給紙ローラ230により給紙された転写紙も、再給紙パス241に導かれる。再給紙ローラ242は、転写紙を画像形成部210に再給紙する。排出ローラ244は、排紙フラッパ237の近傍に配置されて、この排紙フラッパ237により排出パス243側に切り替えられた転写紙を機外に排出する。両面記録（両面複写）時には、排紙フラッパ237を上方に上げて、複写済みの転写紙を、搬送パス238、反転パス239、下撒送パス240を介して再給紙パス241に導く。このとき、反転ローラ245によって転写紙の後端が搬送パス238から全て抜け出し、且つ、反転ローラ245に転写紙が噛んだ状態の位置まで反転パス239に引き込み、反転ローラ245を逆転させることによって搬送パス240に送り出す。本体から転写紙を反転して排出する時には、排紙フラッパ237を上方へ上げ、反転ローラ245によって転写紙の後端が搬送パス238に残った状態の位置まで反転パス239に引き込み、反転ローラ245を逆転させることによって、転写紙を裏返して排出ローラ244側に送り出す。
【００２３】
排紙処理装置290は、デジタル複写機100から一枚ごとに排出される転写紙を処理トレイ294に積載してそろえる。一部の画像形成の排出が終了したら、転写紙束をステイプルして排紙トレイ292又は293に束で排出する。排紙トレイ293は不図示のモータで上下に移動制御され、画像処理動作開始前に処理トレイの位置になるように移動する。用紙トレイ291には、排出された転写紙の間に挿入する区切り紙が積載される。Ｚ折り機295は、排出された転写紙をＺ折りにする。また、製本機296は、排出された転写紙一部をまとめてセンター折りしステイプルを行なうことによって製本を行なう。製本された紙束は排出トレイ297に排出される。
【００２４】
図3は、本発明を適用したデジタル複写機の操作部を示す図である。301はテンキーであり、画像形成枚数の設定や手法設定の数値入力に使用する。また、ファクシミリ設定画面では、電話番号の入力に使用する。クリアキー302は、テンキー301で入力した設定を無効にする場合に使う。リセットキー303は、設定された画像形成枚数や動作手法、選択給紙段等の手法を既定値に戻す場合に使う。
【００２５】
スタートキー304は画像形成を開始する場合に押下するキーである。スタートキー304の中央には画像形成開始可能か否か示す赤色とグリーンのＬＥＤ（不図示）があり、画像形成を開始できない場合は、赤色のＬＥＤが点灯し、画像形成を開始できる場合はグリーンのＬＥＤが点灯する。複写動作を停止する場合はストップキー305を使用する。ガイドキー306はあるキー機能が分からない際に押下するキーであり、機能が分からないキーの説明を表示パネル320に表示する。割り込みキー307は画像形成動作中にユーザが他の作業をしたい場合に押下するキーである。
【００２６】
表示パネル320は液晶等で構成され、詳細な手法設定を容易にするべく設定手法に応じて表示内容が変わる。また表示パネル320の表面はタッチセンサーになっており、パネル内に表示されている機能の枠内を触れることにより、その機能が実行される。
【００２７】
コピー機能キー308、ファックス機能キー309、ボックス機能キー310は、コピー、ファックス、ボックスの各機能を切り替えるために用いるキーであり、これらのキーが押されると操作部の表示パネル320の表示内容が切り替わる。コピー機能キーを押すと不図示の画面でコピーに関する各種設定を行うことができる。ファックス機能キーを押すと不図示の画面でファックスに関する各種設定をおこなうことができる。ボックス機能キー310は、記憶部128に画像データを記憶させたり、記憶されている画像データをプリントアウトする際に押すキーである。
【００２８】
図4は、本発明を適用したデジタル複写機の構成図である。
【００２９】
複写機内では、スキャナ部4201、操作部4202、プリンタ部4203、カードリーダ4204がコントローラ部4001と接続されている。外部入力としてLAN線4003がネットワーク部4103に、電話線4004がモデム部4105に接続されている。
【００３０】
コントローラ部4001内では、CPU4110は、通信線4002に接続され、通信線4002を介してスキャナ画像処理部4102、プリンタ画像処理部4107、操作部I/F 4104、拡張部I/F 4108、ネットワーク部4103、HDD 4109、RAM 4111、ROM 4112、画像変換部4113が接続している。スキャナ部I/F 4101はスキャナ画像処理部4102に、プリンタ部I/F 4106はプリンタ画像処理部4107に接続している。以下、信号処理の流れに基づいて各部の動作を説明する。
【００３１】
スキャナ部4201より入力される画像データは、スキャナI/F部4101を介してスキャナ画像処理部4102で画像処理された後、RAM 4111に格納される。また、スキャナ部4201より入力される制御コマンドは、CPU4110へ転送される。LAN 4003より入力されるプリンタのデータは、ネットワーク部4103を介して描画部4114で描画された後、RAM 4111に転送される。ネットワーク部4103より入力される制御コマンドは、CPU4110へ転送される。電話網4004より入力されるファクシミリのデータは、モデム部4105を介してRAM 4111に転送される。モデム部4105より入力される制御コマンドは、CPU4110へ転送される。
【００３２】
RAM 4111に格納されたこれらの画像データは、CPU4110による制御の下、スキャナ部4201，ネットワーク部4103、モデム部4105および操作部4202より入力される制御コマンドに基づいて、画像変換部4113において画像の回転処理や変倍処理などの画像処理がなされた後、プリンタ画像処理部4107、プリンタ部I/F4106を介してプリンタ部4203に転送されるか、もしくは、モデム部4105を介して電話網4004から転送される。
【００３３】
また、CPU4110は、スキャナ部I/F 4101，モデム部4105より入力された制御コマンドの中で、操作部4202への表示を要求するコマンドを受け取ると、指定された表示内容を操作部I/F 4104を介して表示・操作部4202に表示する。さらに、操作部4202において、ユーザによるオペレーション操作がなされると、そのオペレーション情報が操作部I/F 4104を介してCPU 4110に入力される。CPU 4110は、操作部I/F 4104より入力されたオペレーション情報をスキャナ部I/F 4101，モデム部4105に転送するか、または、オペレーション情報に基づき画像入出力制御を行う。
【００３４】
ネットワーク部4103は、通信プロトコルを用いてデータの送受信が可能である。
【００３５】
このような制御を司るCPU 4110の制御プログラムは、ROM 4111に記憶されており、CPU 4110はROM 4112上の当該制御プログラムに基づいて動作する。ROM 4112内には、画像データを圧縮・伸長を行う圧縮・伸長モジュールが格納されている。なお、RAM 4111は、CPU 4110の作業領域として使用される。
【００３６】
図5は、本発明を適用したデジタル複写機において複写操作を行う際の処理を示すフローチャートである。
【００３７】
まず、ユーザは自動原稿送り装置（ＡＤＦ）280に原稿をセットする。原稿をセットした後、操作部114より複写操作を行う。その際あらかじめキーワード入力を行うことにより、後ほど生成される画像情報にキーワードを登録することが可能になる（5001）。
【００３８】
ユーザが複写操作を行うと、スキャナ部4201は原稿の読取処理を行う。（5002）
スキャナ部4201による原稿の読取処理されると、画像信号がスキャナ部4201からスキャナ部I/F4101を通して、スキャナ画像処理部4102に伝送される。スキャナ画像処理部4102に伝送された電気信号は画像処理が施された後、RAM4111に画像データとして保存される（5003）。
【００３９】
画像データ生成後、画像データはプリンタ画像処理部4107で印刷向けの画像処理が施された後、プリンタ部I/F4106を通じて、プリンタ部4203に転送される。プリンタ部4203は画像データを受信すると複写装置にセットされている用紙に印刷を行う(5004)。
【００４０】
画像データ生成後、RAM4111に保存されている画像データをHDD 4109に保存する（5005）。
【００４１】
画像データ保存後、画像データを元に画像情報を生成する。画像情報はユーザ名、装置名、日時、手段、紙サイズ、両面、部数、画像データ形式、画像データサイズ、ページ数、縮小画像、画像ファイル名で構成されており、ＸＭＬで記述されている（図1）。RAM4111に保存されている画像データを画像変換部4113で解像度、階調の変換を行うことにより縮小画像を生成する。このＸＭＬをHDD 4109に保存する(5006)。
【００４２】
図6は、本発明を適用したデジタル複写機においてファクシミリ受信を行う際の処理を示すフローチャートである。
【００４３】
まず、モデム部4004がファクシミリデータの受信を行う（6001）。
【００４４】
ファクシミリ受信を行うと、モデム部4004は画像変換部4113でファクシミリデータより画像データを生成する。（6002）
画像変換部4113にて画像データが生成された後、画像データをRAM4111に転送する（6003）。
【００４５】
画像データ生成後、画像データはプリンタ画像処理部4107で印刷向けの画像処理が施された後、プリンタ部I/F4106を通じて、プリンタ部4203に転送される。プリンタ部4203は画像データを受信すると複写装置にセットされている用紙に印刷を行う(6004)。
【００４６】
画像データ生成後、RAM4111に保存されている画像データをHDD 4109に保存する（6005）。
【００４７】
画像データ保存後、画像データを元に画像情報を生成する。画像情報はユーザ名、装置名、日時、手段、紙サイズ、両面、部数、画像データ形式、画像データサイズ、ページ数、縮小画像、画像ファイル名で構成されており、ＸＭＬで記述されている（図1）。RAM4111に保存されている画像データを画像変換部4113で解像度、階調の変換を行うことにより縮小画像を生成する。このＸＭＬをHDD 4109に保存する(6006)。
【００４８】
図7は、本発明を適用したデジタル複写機において印刷データ受信を行う際の処理を示すフローチャートである。
【００４９】
まず、ネットワーク部4004が印刷データの受信を行う（7001）。
印刷データ受信を行うと、印刷データはRAM4111に保存され、CPU 4110により印刷データの解釈が行われる。印刷データ解釈後、描画部部4112はRAM4111に画像データを生成する。（7002）
画像変換部4113にて画像データが生成された後、画像データをRAM4111に転送する（7003）。
【００５０】
画像データ生成後、画像データはプリンタ画像処理部4107で印刷向けの画像処理が施された後、プリンタ部I/F4106を通じて、プリンタ部4203に転送される。プリンタ部4203は画像データを受信すると複写装置にセットされている用紙に印刷を行う(7004)。
【００５１】
画像データ生成後、RAM4111に保存されている画像データをHDD 4109に保存する（7005）。
【００５２】
画像データ保存後、画像データを元に画像情報を生成する。画像情報はユーザ名、装置名、日時、手段、紙サイズ、両面、部数、画像データ形式、画像データサイズ、ページ数、縮小画像、画像ファイル名で構成されており、ＸＭＬで記述されている（図1）。RAM4111に保存されている画像データを画像変換部4113で解像度、階調の変換を行うことにより縮小画像を生成する。このＸＭＬをHDD 4109に保存する(7006)。
【００５３】
図8は、本発明を適用したデジタル複写機で、複写操作を行う際に表示される画面である。
【００５４】
画面上のコピー8001の部分を押すことにより、複写操作の処理が選択される。複写操作選択後、操作部4202にあるスタートキー304を押す前にキーワード8002の部分を押すことにより、キーワード入力操作が選択される。
【００５５】
図9は、本発明を適用したデジタル複写機で、キーワード入力操作を行う際に表示される画面である。
【００５６】
キーワード入力操作が選択されるとキーワード入力画面が表示される。入力欄9001に検索用のキーワードが入力可能になっている。キーワードは入力キー9002により入力することが可能である。キーワード入力後、ＯＫ9003の部分を押すと、キーワード入力処理を開始する。履歴9004の部分を押すと過去に入力されたキーワードの一覧が表示される。キャンセル9005の部分を押すとキーワード入力処理がキャンセルされる。
【００５７】
図10は、本発明における画像情報システムにおいての検索処理を示すシーケンス図である。
【００５８】
複写機A内には画像データが保存されており、複写機Bより検索を行うものとする。複写機Bより複写機Aに対して画像データの検索を要求する（10001）。このとき、画像検索情報として、キーワード、日時、ユーザ、装置名、入力手段等の情報を付加することが可能である。
【００５９】
複写機Aは画像検索要求を受けると、画像検索情報を元に装置内に保存されている画像情報（XMLデータ）に対して検索をかける。検索終了後、検索にかかった画像情報を複写機Bに送信する（10002）。
【００６０】
複写機Bは画像情報より画像ファイル名を指定することにより、所望の画像データの転送を複写機Aに対して要求する（10003）。
【００６１】
複写機Aは要求のあった画像ファイルを複写機Bに対して転送を行う（10004）。
【００６２】
図11は、本発明を適用したデジタル複写機で、送信操作を行う際に表示される画面である。
【００６３】
画面上のコピー11001の部分を押すことにより、送信操作の処理が選択される。送信操作選択後、11002に現在送信可能な印刷データのリストが表示される。検索11003の部分を押すことにより、キーワード検索操作が選択される。
【００６４】
図12は、本発明を適用したデジタル複写機で、キーワード検索操作を行う際に表示される画面である。
【００６５】
キーワード検索操作が選択されるとキーワード検索画面が表示される。入力欄12001に検索用のキーワードが入力可能になっている。キーワードは入力キー12002により入力することが可能である。キーワード入力後、ＯＫ12003の部分を押すと、検索処理を開始する。キーワードを入力せずに検索処理を開始すると、全画像検索処理となる。履歴12004の部分を押すと過去に入力されたキーワードの一覧が表示される。キャンセル12005の部分を押すとキーワード検索処理がキャンセルされる。
【００６６】
図13は、本発明を適用したデジタル複写機で、検索処理後に表示される画面である。
【００６７】
検索処理が終了すると、検索結果リスト13001が表示される。黒白反転しているリスト13002が現在選択されている画像データである。保存13003の部分を押すと選択されている画像データを装置内に保存する。プリント13004の部分を押すと選択されている画像データの印刷を行う。送信13005の部分を押すと選択されている画像データに対して、ファクシミリ送信等の各種送信操作を行う。プレビュー13006の部分を押すと選択されている画像データのプレビュー処理を行う。
【００６８】
図14は、本発明を適用したデジタル複写機で、検索処理後にプレビュー処理を行った際に表示される画面である。
【００６９】
プレビュー処理が選択されると、プレビュー画面14001が表示される。画面14002じゃ選択された画像データが表示される。前ページ14003の部分を押すと前のページの画像が表示される。次ページ14003の部分を押すと次のページの画像が表示される。閉じる14005の部分を押すと、検索結果画面に戻る。
【００７０】
以上説明したように、本発明の実施例の形態によれば、キーワードや縮小画像で検索を行うことにより、ネットワークに接続された情報処理装置から同じネットワークに接続された画像形成装置内の画像データを容易に検索することが可能になる。また、集中管理システムではないため、管理のための専用サーバなしにシステムを構築することが可能である。
【００７１】
なお、本発明は、複数の機器（例えば、ホストコンピュータ，インタフェイス機器，リーダ，プリンタ等）から構成されるシステムに適用しても、一つの機器からなる装置（例えば、複写機，ファクシミリ装置等）に適用してもよい。
【図面の簡単な説明】
【００７２】
【図１】本発明における画像情報をＸＭＬで表した際の図である。
【図２】本発明における画像生成装置および情報処理装置の一例であるデジタル複写機の断面図である。
【図３】本発明を適用したデジタル複写機の操作部を示す図である。
【図４】本発明を適用したデジタル複写機の構成図である。
【図５】本発明を適用したデジタル複写機において複写操作を行う際の処理を示すフローチャートである。
【図６】本発明を適用したデジタル複写機においてファクシミリ受信を行う際の処理を示すフローチャートである。
【図７】本発明を適用したデジタル複写機において印刷データ受信を行う際の処理を示すフローチャートである。
【図８】本発明を適用したデジタル複写機で、複写操作を行う際に表示される画面である。
【図９】本発明を適用したデジタル複写機で、キーワード入力操作を行う際に表示される画面である。
【図１０】本発明における画像情報システムにおいての検索処理を示すシーケンス図である。
【図１１】本発明を適用したデジタル複写機で、送信操作を行う際に表示される画面である。
【図１２】本発明を適用したデジタル複写機で、キーワード検索操作を行う際に表示される画面である。
【図１３】本発明を適用したデジタル複写機で、検索処理後に表示される画面である。
【図１４】本発明を適用したデジタル複写機で、検索処理後にプレビュー処理を行った際に表示される画面である。
【符号の説明】
【００７３】
100  デジタル複写機本体
201  プラテンガラス
202  スキャナ
203  原稿照明ランプ
204〜206  走査ミラー
207  レンズ
208  イメージセンサ部
209  露光制御部
210  画像処理部
211  感光体ドラム
212  １次帯電器
213  現像器
214  前露光ランプ
215  クリーニング装置
216  転写帯電器
219  レーザ光
221  右カセットデッキ
222  左カセットデッキ
223  上段カセット
224  下段カセット
225〜228  ピックアップローラ
229〜232  給紙ローラ
233  レジストローラ
234  転写ベルト
235  定着器
236  排出ローラ
237  排紙フラッパ
238  搬送パス
239  反転パス
240  下搬送パス
241  再給紙パス
242  再給紙ローラ
243  排紙パス
244  排出ローラ
245  反転ローラ
280  自動原稿送り装置（ADF）
290  排紙処理装置
291  用紙トレイ
292〜293  排紙トレイ
294  処理トレイ
295  Ｚ折り機
296  製本機
297  排出トレイ
【図１】
2007036837.tif 000003
【図２】
2007036837.tif 000004
【図３】
2007036837.tif 000005
【図４】
2007036837.tif 000006
【図５】
2007036837.tif 000007
【図６】
2007036837.tif 000008
【図７】
2007036837.tif 000009
【図８】
2007036837.tif 000010
【図９】
2007036837.tif 000011
【図１０】
2007036837.tif 000012
【図１１】
2007036837.tif 000013
【図１２】
2007036837.tif 000014
【図１３】
2007036837.tif 000015
【図１４】
2007036837.tif 000016